(57)【要約】【課題】  軸筒を細くしたことによって生じる作動子の横逃げを最小限に抑えた芯筆記具を提供する【解決手段】  多芯筆記具（１）の作動子（３）各々には、後端部(３ｂ)から当該レフィール（５）に向かって被当接片と当接片と挟持片（１９，１９）とを突出形成してあり、当該挟持片各々は、突出させられている先行レフィールに係る被当接片(１５)を隣接レフィール各々に係る隣接挟持片各々によって挟持することによって、当該被当接片の隣接挟持片方向への移動を阻止するように構成してある。移動阻止によって、作動子の横逃げが最小限に抑えられるので、軸筒の肉厚を薄くすることができ、これによって軸筒自体を細くすることができる。【選択図】  図１
2010228105.tif 000002
【特許請求の範囲】
【請求項１】
先端部と後端部とを有する軸筒と、
当該軸筒内でスライド可能に収容された複数本のレフィールと、
当該レフィール各々の後端部に連結される作動子各々と、
当該作動子各々の後端部と一体かつ当該軸筒後端部に開口した複数の縦長孔から径方向に各々突出する突出片各々と、を含めて構成してあり、
１つの突出片を当該先端部方向にスライドさせることによりレフィールのペン先部を選択的に突出させて保持するスライド式の多芯筆記具において、
当該作動子各々には、後端部から当該レフィールに向かって被当接片と当接片と挟持片とを突出形成してあり、
当該被当接片各々及び当該当接片各々は、突出させられている先行レフィールに係る被当接片と、後発的に選択された後行レフィールに係る当接片と当接して先行レフィールの保持が解除されるように構成してあり、
当該挟持片各々は、突出させられている先行レフィールに係る被当接片を隣接レフィール各々に係る隣接挟持片各々によって挟持することによって、当該被当接片の隣接挟持片方向への移動を阻止するように構成してある
ことを特徴とする多芯筆記具。
【発明の詳細な説明】
【技術分野】
【０００１】
本発明は、複数本のレフィールが収容され、１つのレフィールのペン先部を選択的に突出させて保持する多芯筆記具に関する。
【背景技術】
【０００２】
複数本（たとえば、６本）のレフィール、例えば黒色と赤色などのようにインキ色の異なる複数本のボールペンレフィール、あるいはボールペンレフィールおよびシャープペンシルの中芯（本明細書ではシャープペンシルの中芯もレフィールに含める）を組み合わせたものを軸筒に収容し、１つのレフィールのペン先部を選択的に軸筒先端部突出させて保持する多芯筆記具は、１本の筆記具で複数本の筆記具の機能を果たし、極めて便利である。このため、数多くの多芯筆記具が実用化されている（たとえば、特許文献１）。多芯筆記具は、前軸に対しカムを内蔵した後軸を相対的に回転させることにより１つのレフィールのペン先部を選択的に突出させるものもあるが、各レフィールに作動子を連結し、軸筒後端部の縦長孔から径方向に突出した突出片を指先で前方にスライドさせることによりレフィールのペン先部を選択的に軸筒先端部から突出させて保持するスライド式の多芯筆記具は構造が簡単であり、たとえば４本ないしそれ以上のレフィールを収容した普及型のものに多用されている。また、最近は、多色化の傾向があり、特に６本のレフィールを収納した多芯筆記具に人気が集中している。
【先行技術文献】
【特許文献】
【０００３】
【特許文献１】特開２００８−１５５５０８号公報
【発明の概要】
【発明が解決しようとする課題】
【０００４】
ここで、６本のレフィールを収納した多芯筆記具（便宜上「６芯筆記具」という）について考える。現在、市場に出回っている６芯筆記具の外径は、概ね１５ミリメートルとなっている。しかしながら、６芯筆記具は多色であって絵描きなどに適していることから、その使用者は主として若年層ということになる。このため、６芯筆記具を握る手は比較的小さく、したがって、持ちづらい、書きづらい、という声が時折寄せられていた。６芯筆記具自体を細くするために最も簡単な方法は、軸筒の肉厚を薄くすることである。しかしながら、肉厚を薄くすると、作動子の周方向傾き（横逃げ）が大きくなりすぎて、書きづらいという新たな問題が生じた。つまり、図６に示す肉厚Ｔの軸筒１０１と図７に示す肉厚ｔ（＜Ｔ）の軸筒１０１´とでは、同じ寸法の作動子１０３を収納したときにその支え効果が小さくなる。言い換えると、肉厚の軸筒１０１のほうが肉薄の軸筒１０１´よりも作動子との対向面積が小さくなる分だけ、後者の傾き（ガタ、遊び、横逃げ）ｄのほうが後者の傾き（ガタ、遊び、逃げ）Ｄよりも大きくなる。この違いが、横逃げによる書きづらさ問題の原因である。本発明が解決しようとする課題は、上述した横逃げを最小限に抑えることのできる多芯筆記具を提供することにある。
【課題を解決するための手段】
【０００５】
上述した課題を解決するために本発明は、従来は肉厚に頼っていた作動子の横逃げ対策を、作動子同士の作用によって補助してより確実なものとするものである。その詳しい内容は、項を改めて説明する。
【０００６】
本発明に係る多芯筆記具（以下、「本発明の筆記具」という）は、先端部と後端部とを有する軸筒と、当該軸筒内でスライド可能に収容された複数本のレフィール（シャープペンシルの中芯等を含めてもよい）と、当該レフィール各々の後端部に連結される作動子各々と、当該作動子各々の後端部と一体かつ当該軸筒後端部に開口した複数の縦長孔から径方向に各々突出する突出片各々と、を含めて構成してあり、１つの突出片を当該先端部方向にスライドさせることによりレフィールのペン先部を選択的に突出させて保持するスライド式の多芯筆記具である。ここで、当該作動子各々には、後端部から当該レフィールに向かって被当接片と当接片と挟持片とを突出形成してあり、当該被当接片各々及び当該当接片各々は、突出させられている先行レフィールに係る被当接片と、後発的に選択された後行レフィールに係る当接片と当接して先行レフィールの保持が解除されるように構成してある。さらに、当該挟持片各々は、突出させられている先行レフィールに係る被当接片を隣接レフィール各々に係る隣接挟持片各々によって挟持することによって、当該被当接片の隣接挟持片方向への移動を阻止するように構成してある。
【０００７】
本発明の筆記具によれば、当該挟持片各々が、突出させられている先行レフィールに係る被当接片を隣接レフィール各々に係る隣接挟持片各々によって挟持することによって、当該被当接片の隣接挟持片方向への移動を阻止するので、作動子、さらに、それに接続されたレフィールの横逃げを有効に阻止することができる。このため、軸筒の肉厚を薄くすることにより生じる作動子の横逃げ阻止作用の低下が補償され、その分、軸筒を細くすることができる。
【発明の効果】
【０００８】
本発明によれば、軸筒を細くしたことによって生じる作動子の横逃げを最小限に抑えた芯筆記具を提供することができる。
【図面の簡単な説明】
【０００９】
【図１】多芯筆記具の縦断面図である。
【図２】図１に示す多芯筆記具の部分拡大図及び同拡大図のＡ１−Ａ２断面図である。
【図３】図１に示す多芯筆記具の部分拡大図（操作子がスライドされている）及び同拡大図のＢ１−Ｂ２断面図である。
【図４】作動子の正面図及び左側面図である。
【図５】作動子同士の関係を示す概略斜視図である。
【図６】従来の多芯筆記具の横断面図である。
【図７】従来の多芯筆記具の横断面図である。
【発明を実施するための形態】
【００１０】
（多芯筆記具の概略構成）
図１〜３に示すように、多芯筆記具１（以下、「筆記具１」という）は、軸筒３と、軸筒３内に収納された複数本（本実施形態では６本）のレフィール５，・・と、レフィール５と同数の作動子７と、から概略構成してある。軸筒３は、先端部３ａと後端部３ｂとを有し、先端部３ａと後端部３ｂとの間には円筒部３ｃがあり、軸筒３全体は合成樹脂によって分解可能に構成してある。レフィール５各々の後端部３ｂには各作動子７が差し込み連結してあり、両者が一体となって軸筒３内部でその長さ方向（先端部３ａと後端部３ｂを往復する方向）にスライド可能に構成してある。後端部３ｂには長さ方向に延びる６個の縦長孔３ｈ，・・を軸筒３の円周方向等間隔（すなわち、６０度間隔で）に形成してある。各縦長孔３ｈは、作動子７の後端部から直角方向に突出する突出片７ｐを軸筒３の外部へ突出させるための孔である。突出片７ｐは６個あるが、そのうちの１つの突出片７ｐを先端部３ａ方向に指先でスライドさせることにより、それが連結されたレフィール５のペン先部を先端部３ａ先端の開口３ｔ（図１参照）から選択的に突出させられるようになっている。また、本実施形態では、６本のレフィール５，・・のうちの１本をシャープペンシルの中芯としている（図１で「５´」と表記）。なお、６個の突出片７ｐのうちの１つ（突出片７ｐ´と表示）は、クリップとしての機能も兼ね備えている。スライドは復帰バネ５ｓに抗しながら行われ、スライド後は保持機構（図示は省略）によってその状態に保持されるようになっている。保持されたときに、筆記体１を持ち保持されたレフィール５を用いて文字等を書くことができる。なお、次項以下で登場する図４は、作動子同士の関係の理解のために図面を概略化してある。
【００１１】
（作動子の構造）
図２〜５を参照しながら、作動子７の構成について説明する。６本の作動子７は、何れも同じ構造（クリップ形状の作動子７ｐ´を除く）を有しているので、その説明は１本についてだけ行う。作動子７は、一体成形した合成樹脂製であって、軸筒３の長さ方向に長い棒状の主軸部１１と、主軸部１１の後端部からレフィール５に向かって（図４の右から左に向かって）順に被当接片１５と当接片１７と挟持片１９とを直線状に並べて突出形成してある。さらに、主軸部１１の後端部には、前述した突出片７ｐ（突出片７ｐ´）を突出形成してあり、同じく、先端部には、レフィール５に差し込むための差込部１３を主軸部１１の延長線上に形成してある。被当接片１５及び当接片１７は、何れも主軸部１１から離れる方向に先細りする台形に形成してあり、図３及び４に示すように、断面先細りの形状に形成してある。図２及び３の比較によって理解されるように、先行してスライドされた作動子７（図３上段の作動子）の被当接片１５に、後行してスライドされる作動子７（図３下段の作動子）の当接片１７がスライド方向（図４の右から左方向）からと右折して先行のレフィール５の保持を解除させ、さらなるスライドによって後行のレフィール５の先端部を開口７ｔ（図１参照）から突出させるように構成してある。解除された先行のレフィール５は復帰バネ５ｓの作用によって、元の位置に復帰させられ、スライドされた後行のレフィール５は保持機構の作用によって、突出状態に保持されるようになっている。
【００１２】
挟持片１９は、突出させられている先行のレフィール５（図３の上段）に係る被当接片１５を隣接レフィール５，５各々に係る隣接挟持片１９，１９各々によって挟持することによって、被当接片１５の隣接挟持片１９，１９方向（図４の左右方向）への移動を阻止するように構成してある。隣接する各挟持片１９と被当接片１５との間は接触挟持することが前提であるが、寸法誤差や変形などにより若干の遊びが生じる場合もありその場合も挟持に含まれる。
【００１３】
本実施形態では、箇所にもより一定ではないが軸筒３の肉厚を１．５ミリメートル、レフィールの数を６本とし各々の外径が２．８ミリメートルに設定し、軸筒３の外径を１３．５ミリメートルとすることができた。従来の６芯筆記具の外径が１５ミリメートル前後であったものが、筆記具１によれば１３．５ミリメートルまで細く出来た。この結果、筆記具１を、持ちやすい、かつ、書きやすいものとすることができた。さらに、挟持片１９，１９による被当接片１５の挟持作用によってレフィールの横逃げが有効に阻止されているので、横逃げしたら生じるであろう文字等の横ぶれのない快適な筆記を行うことができた。
【符号の説明】
【００１４】
１      多芯筆記具
３      軸筒
３ａ    先端部
３ｂ    後端部
３ｃ    円筒部
３ｈ    縦長孔
５      レフィール
５ｓ    復帰バネ
７      作動子
７ｐ    突出片
７ｐ´  突出片
７ｔ    開口
１１      主軸部
１３      差込部
１５      被当接片
１７      当接片
１９      挟持片
【図１】
2010228105.tif 000003
【図２】
2010228105.tif 000004
【図３】
2010228105.tif 000005
【図４】
2010228105.tif 000006
【図５】
2010228105.tif 000007
【図６】
2010228105.tif 000008
【図７】
2010228105.tif 000009